(57)【特許請求の範囲】
【請求項１】
前席に設置された、ハンズフリーマイクを備えた車載電話と、前席スピーカを有する車両において、
後席マイクと後席スピーカと、
前記ハンズフリーマイクに入力された音声を前記後席スピーカから出力し、また前記後席マイクに入力された音声を前記前席スピーカから出力する音声切替手段とを有し、
該音声切替手段は、
前記前席スピーカまたは前記後席スピーカより話者の音声を出力する際に、話者の音声以外の前席スピーカ用出力または後席スピーカ用出力が所定値を超えている時、当該所定値を超えている前席スピーカ用出力または後席スピーカ用出力を減音し、話者の音声とミキシングする減音手段を備えることを特徴とする車両通話装置。
【請求項２】
前記後席マイクは前記車載電話に接続され、
前記音声切替手段は、前記車載電話からの車外者の音声を前記前席スピーカおよび前記後席スピーカから出力し、
車外者と車内前席者および後席者による３者通話を可能とすることを特徴とする請求項１に記載の車両通話装置。
【請求項３】
前記後席マイクは、ハンズフリーマイクであることを特徴とする請求項１または２に記載の車両通話装置。
【請求項４】
前記後席マイクは、前記車載電話の後席用のハンドセットに付設されたマイクであることを特徴とする請求項１または２に記載の車両通話装置。
【請求項５】
前記後席マイクは、後席の天井に設置されていることを特徴とする請求項１または２に記載の車両通話装置。
【請求項６】
前記音声切替手段は、前記前席スピーカ用出力または後席スピーカ用出力を減音したあと、音声入力スタートを合図する音を話者側のスピーカから出力することを特徴とする請求項１から５のいずれか１に記載の車両通話装置。
【発明の詳細な説明】
【０００１】
【発明の属する技術分野】
本発明は、車両などの前席者と後席者や、車載電話による車外者と車内者の会話を可能とする車両通話装置に関する。
【０００２】
【従来の技術】
車両の前席者と後席者が会話をする際、騒音があったり車内スピーカから音楽等が流れていると、前席の運転者は車両を運転するため前方を向いたままとなるので相手の話の内容が聞き取りづらい。そのため大声で会話をしたり音楽等の音量を下げたりしている。一方、車載電話を搭載した車両では通話をする際にハンズフリーマイクを用いて音声を入力し、相手の音声をスピーカから出力しているが、前席、後席間の会話には活用されていなかった。
【０００３】
【発明が解決しようとする課題】
上記従来の構成では、運転者と後席者が会話をする際、運転者が運転に集中することができず、さらに音楽等の音量を下げる手間が必要でありわずらわしかった。
また車外からの電話の話者と車両の前席者と後席者のように複数の者による３者通話をすることはできなかった。
【０００４】
そこで本発明は上記問題点に鑑み、車載電話のハンズフリーマイクを用いることにより、音楽再生等を行っている時は大声をあげたり、音量を下げる操作の必要無しに前後席者の会話を可能とし、さらには車外からの電話の話者と車内の者との３者通話を可能にする車両通話装置を提供することを目的とする。
【０００５】
【課題を解決するための手段】
請求項１記載の発明は、前席に設置された、ハンズフリーマイクを備えた車載電話と、前席スピーカを有する車両において、後席マイクと後席スピーカと、ハンズフリーマイクに入力された音声を後席スピーカから出力し、また後席マイクに入力された音声を前席スピーカから出力する音声切替手段とを有し、該音声切替手段は、前席スピーカまたは後席スピーカより話者の音声を出力する際に、話者の音声以外の前席スピーカ用出力または後席スピーカ用出力が所定値を超えている時、当該所定値を超えている前席スピーカ用出力または後席スピーカ用出力を減音し、話者の音声とミキシングする減音手段を備えるものとした。
【０００６】
請求項２記載の発明は、後席マイクが車載電話に接続され、音声切替手段は、車載電話からの車外者の音声を前席スピーカおよび後席スピーカから出力し、車外者と車内前席者および後席者による３者通話を可能とするものとした。
請求項３記載の発明は、後席マイクを、ハンズフリーマイクとした。
請求項４記載の発明は、後席マイクを、車載電話の後席用のハンドセットに付設されたマイクとした。
請求項５記載の発明は、後席マイクを後席の天井に設置するものとした。
さらに請求項６記載の発明は、音声切替手段が、前席スピーカ用出力または後席スピーカ用出力を減音したあと、音声入力スタートを合図する音を話者側のスピーカから出力するものとした。
【０００７】
【発明の効果】
請求項１記載の発明によれば、車載電話の前席に設置されたハンズフリーマイクから入力された音声は後席のスピーカから、また後席に設置されたマイクから入力された音声は前席のスピーカから出力されるようにしたので、前席者と後席者は前後席のマイクおよびスピーカを用いた会話が可能となる。
【０００８】
そして、前席スピーカ、後席スピーカから話者の音声が出力される際に該音声以外の出力を減音し、該音声とミキシングすることによって、話者の音声が強調された音声が前席スピーカ、後席スピーカから出力されるので、話者の音声が聞き取りやすくなる。この場合、話者の音声以外の出力が所定値以下の時はミキシングしたとしても話者の音声を聞き取ることができるので、減音は話者の音声以外の前席スピーカ用出力、後席スピーカ用出力が所定値を超えているときのみ行うことにより手間が省ける。
【０００９】
請求項２記載の発明によれば、車外との電話において、車外者の音声を前席スピーカ、後席スピーカより出力し、また前席者、後席者の音声を車載電話から車外者に出力するとともに、前席者の音声を後席スピーカから、後席者の音声を前席スピーカから出力することによって、車内の前席者、後席者、車外者の３人による３者通話をすることができる。
【００１０】
請求項３記載の発明によれば、後席のマイクはハンズフリーマイクとしたので、後席者がマイクを持たずに会話が可能となる。
請求項４記載の発明によれば、後席のマイクは車載電話の後席用のハンドセットに付設されたマイクとしたので、新たに後席者用のマイクを設置する必要が無い。
【００１１】
【発明の実施の形態】
次に発明の実施の形態を実施例により説明する。
図１は第１の実施例の構成を表わす図である。
音声切替部５に、後席マイク１、後席マイクスイッチ３、ハンズフリー電話ユニット６、前席ハンズフリーマイク２、前席マイクスイッチ４が接続され、さらに前席スピーカ８、後席スピーカ９が接続される。また上記前席ハンズフリーマイク２はハンズフリー電話ユニット６にも接続される。
音声切替部５にオーディオ装置７からの前席スピーカ用出力Ａ、後席スピーカ用出力Ｂが入力される。
【００１２】
後席マイク１は、後席に設置されている音声入力用マイクで、例えば後席天井に設置されたハンズフリーマイクであり、後席マイクスイッチ３によって音声入力可能となる。後席マイク１に入力された音声は音声切替部５を介し前席スピーカ８より出力される。また、前席ハンズフリーマイク２は前席に設置された音声入力用マイクで、例えば前席天井に設置され、前席マイクスイッチ４によって音声入力可能となる。前席ハンズフリーマイク２に入力された音声は音声切替部５を介し後席スピーカ９より出力される。
【００１３】
音声切替部５は、後席マイクスイッチ３または前席マイクスイッチ４がオンされることによって、オーディオ装置７から出力される前席スピーカ用出力Ａ、または後席スピーカ用出力Ｂを消音し、後席マイク１または前席ハンズフリーマイク２から入力された音声を前席スピーカ８または後席スピーカ９へ出力する。
さらに、音声切替部５はハンズフリー電話ユニット６から動作信号を受け、車外者の音声が入力された時は、前席スピーカ用出力Ａを消音してハンズフリー電話ユニット６から入力された車外者の音声を前席スピーカ８へ出力する。  音声切替部５によって行なわれる前席スピーカ用出力Ａ、後席スピーカ用出力Ｂの消音手順については次で説明する。
【００１４】
図２のフローチャートに従って、前席者、後席者が会話をする際の音声切替部５における音声制御を示す  ステップ１００では、音声切替部５において、前席マイクスイッチ４がオンであるかを判断する。オンの時はステップ１０１へ進み、オフの時はステップ１１１へ進む。
【００１５】
ステップ１０１では、音声切替部５においてオーディオ装置７からの後席スピーカ用出力Ｂがあるかどうか判断する。後席スピーカ用出力Ｂがある時は１０２へ進み、ない時は１０３へ進む。
ステップ１０２では、音声切替部５において後席スピーカ用出力Ｂを消音する。
ステップ１０３では、音声切替部５より前席スピーカ８を介し、音声入力スタートを合図する音が出力される。
【００１６】
前席者は前席スピーカ８からの音声入力スタートの合図音を受け、ステップ１０４で、前席ハンズフリーマイク２より音声を入力する。
ステップ１０５では、音声切替部５から後席スピーカ９を介し前席者の音声が出力される。
ステップ１０６では、音声切替部５において前席マイクスイッチ４がオンかどうかの判断をする。前席マイクスイッチ４がオンの時はステップ１０４に戻る。前席マイクスイッチ４がオフの時はステップ１００へ戻る。
【００１７】
ステップ１１１では、音声切替部５において後席マイクスイッチ３がオンかどうかの判断をする。後席マイクスイッチ３がオンの時はステップ１１２へ進み、オフの時はステップ１００へ戻る。
ステップ１１２では、音声切替部５においてオーディオ装置７からの前席スピーカ用出力Ａがあるかどうかの判断をする。ある場合はステップ１１３へ進み、ない場合はステップ１１４へ進む。
ステップ１１３では、音声切替部５において前席スピーカ用出力Ａを消音する。
ステップ１１４では、音声切替部５より後席スピーカ９を介し、音声入力スタートを合図する音が出力される。
【００１８】
後席者は後席スピーカ９からの音声入力スタートの合図音を受け、ステップ１１５で、後席マイク１より音声を入力する。
ステップ１１６では、音声切替部５から前席スピーカ８を介し後席者の音声が出力される。
ステップ１１７では、音声切替部５において後席マイクスイッチ３がオンかどうかの判断をする。後席マイクスイッチ３がオンの時はステップ１１５に戻る。後席マイクスイッチ３がオフの時はステップ１００へ戻る。
【００１９】
本実施例は上記の構成とすることにより、前席ハンズフリーマイク２から入力された音声は後席スピーカ９から、また後席マイク１から入力された音声は前席スピーカ８から出力され、オーディオ装置７から前席スピーカ用出力Ａ、後席スピーカ用出力Ｂがある場合には、前席スピーカ用出力Ａ、後席スピーカ用出力Ｂは音声切替部５によって消音される。これにより前席スピーカ８、後席スピーカ９からは後席者、前席者の音声のみが出力されるので、オーディオ装置７からの出力に邪魔されずに前席者と後席者の会話が可能となる。
また、車外者と前席者との電話通話に際しては、音声切替部５で前席スピーカ用出力Ａが消音され前席スピーカ８より車外者の音声のみが出力されることにより、前席者は車外者の音声を聞くことができる。
【００２０】
ステップ１００から１０６、ステップ１１１から１１７は本発明における音声切替手段を構成し、とくにステップ１０２、１１３は本発明における消音手段を構成する。
【００２１】
上記では音声切替部５において前席スピーカ用出力Ａ、後席スピーカ用出力Ｂを消音するものとしたが、変形例として、音声切替部５において前席スピーカ用出力Ａ、後席スピーカ用出力Ｂを減音し、話者の音声とをミキシングした場合の音声制御について、図３、４のフローチャートに従って説明する。
【００２２】
ステップ３００では、音声切替部５において前席マイクスイッチ４がオンかどうかの判断をする。前席マイクスイッチ４がオンの時はステップ３０１へ進み、オフの時はステップ３１１へ進む。
ステップ３０１では、音声切替部５においてオーディオ装置７からの後席スピーカ用出力Ｂがあるかどうか判断する。後席スピーカ用出力Ｂがある時は３０２へ進み、ない時は３０３へ進む。
【００２３】
ステップ３０２では、音声切替部５において後席スピーカ用出力Ｂを例えば１０ｄｂ落とし減音する。
ステップ３０３では、音声切替部５から前席スピーカ８を介し音声入力スタートを合図する音が出力される。
前席者は前席スピーカ８からの音声入力スタートの合図音を受け、ステップ３０４で、前席ハンズフリーマイク２より音声を入力する。
ステップ３０５では、音声切替部５において前席ハンズフリーマイク２から入力された音声と、減音された後席スピーカ用出力Ｂとをミキシングする。ステップ３０１の判断で後席スピーカ用出力Ｂがない時は、ミキシングせずにステップ３０６へ進む。
【００２４】
ステップ３０６では、音声切替部５から前席者の音声と減音された後席スピーカ用出力Ｂとがミキシングされた音声が、または後席スピーカ用出力Ｂがない時は前席者の音声が、後席スピーカ９を介し出力される。
ステップ３０７では、音声切替部５において前席マイクスイッチ４がオンであるかどうかを判断する。前席マイクスイッチ４がオンの時はステップ３０４に戻る。前席マイクスイッチ４がオフの時はステップ３００に戻る。
【００２５】
ステップ３１１では、音声切替部５において後席マイクスイッチ３がオンかどうか判断される。後席マイクスイッチ３がオンの時はステップ３１２へ進み、オフの時はステップ３００へ戻る。
ステップ３１２では、音声切替部５においてオーディオ装置７からの前席スピーカ用出力Ａがあるかどうか判断する。前席スピーカ用出力Ａがある時は３１３へ進み、ない時は３１４へ進む。
ステップ３１３では、音声切替部５において前席スピーカ用出力Ａを例えば１０ｄｂ落とし減音する。
【００２６】
ステップ３１４では、音声切替部５から後席スピーカ９を介し音声入力スタートを合図する音が出力される。
後席者は後席スピーカ９からの音声入力スタートの合図音を受け、ステップ３１５で、後席マイク１より音声を入力する。
ステップ３１６では、音声切替部５において後席マイク１から入力された音声と、減音された前席スピーカ用出力Ａとをミキシングする。ステップ３１２の判断で前席スピーカ用出力Ａがない時は、ミキシングせずにステップ３１７へ進む。
【００２７】
ステップ３１７では、音声切替部５から後席者の音声と減音された前席スピーカ用出力Ａとがミキシングされた音声が、またステップ３１４で前席スピーカ用出力Ａがない時は後席者の音声が、前席スピーカ８を介し出力される。
ステップ３１８では、音声切替部５において後席マイクスイッチ３がオンであるかどうかを判断する。後席マイクスイッチ３がオンの時はステップ３１５に戻る。後席マイクスイッチ３がオフの時はステップ３００に戻る。
【００２８】
本実施例は上記構成とすることにより、前席者の音声は減音された後席スピーカ用出力Ｂと、後席者の音声は減音された前席スピーカ用出力Ａとミキシングされ、後席スピーカ９、前席スピーカ８から出力されることにより、前席スピーカ用出力Ａ、後席スピーカ用出力Ｂに邪魔されることなく前席者と後席者の会話が可能となる。
前席者の音声は前席ハンズフリーマイク２からハンズフリー電話ユニット６に出力されることにより、またハンズフリー電話ユニット６から出力される車外者の音声は音声切替部５で減音された前席スピーカ用出力Ａとミキシングされ、前席スピーカ８から出力されることにより、前席者は前席スピーカ用出力Ａに邪魔されることなく車外者の音声を聞くことができ、車外者と前席者との電話通話が可能となる。
【００２９】
ステップ３００から３０７、ステップ３１１から３１８は本発明における音声切替え手段を構成し、とくにステップ３０２、３１３は本発明における減音手段を構成する。
上記の説明では、前席スピーカ用出力Ａ、後席スピーカ用出力Ｂを減音する値はそれぞれ１０ｄｂ減音するとしたが、これに限定されず適宜所定の値を設定してもよい。
【００３０】
なお上記減音は、前席スピーカ用出力Ａ、後席スピーカ用出力Ｂがある所定値より大きい時だけ行うようにし、所定値より小さい時は減音は行わずに話者の音声とのミキシングだけを行うようにしてもよい。なお電話通話の際も同様に、前席スピーカ用出力Ａが所定値以下の場合は、前席スピーカ用出力Ａを減音することなく車外者の音声とミキシングし、前席スピーカ８へ出力してもよい。なぜなら前席スピーカ用出力Ａ、後席スピーカ用出力Ｂが小さいので、話者の音声が前席スピーカ用出力Ａ、後席スピーカ用出力Ｂにかき消されてしまうことなく、会話の相手に伝わるからである。
【００３１】
図５は第２の実施例の構成を表わす図である。
音声切替部５に、後席マイクスイッチ３、前席マイクスイッチ４が接続され、前席スピーカ８、後席スピーカ９、前席ハンズフリーマイク２、後席マイク１、ハンズフリー電話ユニット６が接続される。また前席ハンズフリーマイク２と後席マイク１は、それぞれハンズフリー電話ユニット６に接続される。
音声切替部５にオーディオ装置７からの前席スピーカ用出力Ａ、後席スピーカ用出力Ｂが入力される。
【００３２】
後席マイク１は、後席に設置された音声入力用マイクで、後席マイクスイッチ３によって音声入力可能となり、後席マイク１に入力された音声は音声切替部５を介し前席スピーカ８より出力され、またハンズフリー電話ユニット６にも音声出力される。
前席ハンズフリーマイク２は、前席に設置された音声入力用マイクで、前席マイクスイッチ４によって音声入力可能となり、前席ハンズフリーマイク２に入力された音声は音声切替部５を介し後席スピーカ９より出力され、またハンズフリー電話ユニット６にも音声出力される。
【００３３】
音声切替部５は、後席マイクスイッチ３または前席マイクスイッチ４がオンされることによって、オーディオ装置７から出力される前席スピーカ用出力Ａ、または後席スピーカ用出力Ｂを消音し、後席マイク１または前席ハンズフリーマイク２から入力された音声を前席スピーカ８または後席スピーカ９へ出力する。
また音声切替部５は、ハンズフリー電話ユニット６から動作信号を受け、車外者の音声が入力された場合には、オーディオ装置７から出力される前席スピーカ用出力Ａ、後席スピーカ用出力Ｂを消音し、ハンズフリー電話ユニット６から入力された車外者の音声を、前席スピーカ８および後席スピーカ９に出力する。
【００３４】
上記の構成とすることにより、前席ハンズフリーマイク２から入力された音声は後席スピーカ９から、後席マイク１から入力された音声は前席スピーカ８から出力される。またオーディオ装置７から前席スピーカ用出力Ａ、後席スピーカ用出力Ｂがある場合には、前席スピーカ用出力Ａ、後席スピーカ用出力Ｂは音声切替部５によって消音され、これにより前席者と後席者の会話が可能になる。
【００３５】
また車外からの電話の際には、音声切替部５で前席スピーカ用出力Ａ、後席スピーカ用出力Ｂが消音され、前席スピーカ８、後席スピーカ９からは車外者の音声のみが出力されることにより、前席者、後席者は車外者の音声を聞くことができるので、車外者と前席者、後席者の３人による３者通話が可能となる。
音声切替部５における音声制御の他の構成および作用は第１の実施例と同じである。
【００３６】
なお第１の実施例の変形例と同じく、車外者の音声を音声切替部５から前席スピーカ８、後席スピーカ９へ出力する際、減音した前席スピーカ用出力Ａ、後席スピーカ用出力Ｂと車外者の音声とをミキシングして、前席スピーカ８、後席スピーカ９へ出力してもよい。また前席スピーカ用出力Ａ、後席スピーカ用出力Ｂが所定値以下の場合は、前席スピーカ用出力Ａ、後席スピーカ用出力Ｂを減音せずに車外者の音声とミキシングし前席スピーカ８、後席スピーカ９へ出力してもよい。
【００３７】
図６は第３の実施例の構成を表わす図である。
音声切替部５に前席マイクスイッチ４、前席スピーカ８、後席スピーカ９、ハンズフリー電話ユニット６が接続される。また前席ハンズフリーマイク２が音声切替部５とハンズフリー電話ユニット６に、車載電話の後席ハンドセット１０がハンズフリー電話ユニット６に接続される。
音声切替部５にオーディオ装置７からの前席スピーカ用出力Ａ、後席スピーカ用出力Ｂが入力さる。
【００３８】
後席ハンドセット１０は後席用の音声入力用マイクを備え、後席ハンドセット１０に入力された音声は、ハンズフリー電話ユニット６に出力され車外との電話通話が可能となり、さらに音声切替部５を介し前席スピーカ８から出力される。
また前席ハンズフリーマイク２は、前席に設置された音声入力用マイクで、前席マイクスイッチ４によって音声入力可能となり、前席ハンズフリーマイク２に入力された音声は、ハンズフリー電話ユニット６に出力され車外との電話通話が可能となり、さらに音声切替部５を介し後席スピーカ９より出力される。
【００３９】
音声切替部５は、前席マイクスイッチ４がオンされることにより、オーディオ装置７から出力される後席スピーカ用出力Ｂを消音し、前席ハンズフリーマイク２から入力された音声を後席スピーカ９へ出力する。また、音声切替部５に後席ハンドセット１０からハンズフリー電話ユニット６を介して作動信号が入力され、音声入力があった場合には、前席スピーカ用出力Ａを消音し、後席ハンドセット１０から入力された音声を前席スピーカ８へ出力する。
【００４０】
音声切替部５は、ハンズフリー電話ユニット６から動作信号を受け、車外者の音声が入力された場合には、前席スピーカ用出力Ａおよび後席スピーカ用出力Ｂを消音し、車外者の音声を前席スピーカ８および後席スピーカ９へ出力する。
【００４１】
本実施例は上記の構成とすることにより、前席ハンズフリーマイク２から入力された音声は後席スピーカ９から、後席ハンドセット１０から入力された音声は前席スピーカ８から出力され、また車外からの電話の音声は音声切替部５を介し前席スピーカ８および後席スピーカ９から出力される。さらにオーディオ装置７から前席スピーカ用出力Ａ、後席スピーカ用出力Ｂがある場合には、前席スピーカ用出力Ａ、後席スピーカ用出力Ｂは音声切替部５によって消音される、これにより前席者と後席者の会話や車外との電話による３者通話が可能になる。
音声切替部５における音声制御の他の構成および作用は第１の実施例と同様である。
【００４２】
なお上記各実施例では、前席者用の前席スピーカ８は１つであるとしたが、運転席スピーカ、助手席スピーカのように複数設けてもよく、また後席者用の後席スピーカ９についても同様とする。
また、第１、第２の実施例では上記後席マイク１はハンズフリーマイクであるとしたが、例えばマイクにマイクのスイッチが付設され、後席天井などに備えられたもので、音声入力する際にマイクを設置場所から取り外し、音声入力するようなものであってもよい。
【図面の簡単な説明】
【図１】本発明の第１の実施例を示す図である。
【図２】音声切替部における音声入出力時のフローチャートである。
【図３】変形例における音声入出力時のフローチャートである。
【図４】変形例における音声入出力時のフローチャートである。
【図５】本発明の第２の実施例を示す図である。
【図６】本発明の第３の実施例を示す図である。
【符号の説明】
１    後席マイク
２    前席ハンズフリーマイク
３    後席マイクスイッチ
４    前席マイクスイッチ
５    音声切替部
６    ハンズフリー電話ユニット
７    オーディオ装置
８    前席スピーカ
９    後席スピーカ
１０    後席ハンドセット
Ａ    前席スピーカ用出力
Ｂ    後席スピーカ用出力
【図１】
0003921988.tif 000002
【図２】
0003921988.tif 000003
【図３】
0003921988.tif 000004
【図４】
0003921988.tif 000005
【図５】
0003921988.tif 000006
【図６】
0003921988.tif 000007